(57)【要約】【課題】電磁弁による止水に伴う異音の発生が抑制されたシャワーヘッドおよびこのシャワーヘッドを備えた水栓を提供すること。【解決手段】電磁弁によって、吐水および止水を制御可能な水栓に取り付けられるシャワーヘッド１であって、内部に流水路２が形成された本体部３と、前記本体部３の下流側と接続し、外周側の流路と内側の流路との切替えが可能な切替部６１を備えた吐水ソケット６と、前記吐水ソケット６の下流側に接続し、前記流水路２と連通する吐水路４a,４bが形成された吐水部４と、を備え、前記吐水ソケット６には、前記切替部６１付近に弾性メッシュ部材１１が配設されており、前記弾性メッシュ部材１１は、吐水時に、前記流水路２からの水流によって厚み方向に圧縮されることで、前記切替部６１の下流端面６１aと前記弾性メッシュ部材１１との間隔が拡大するシャワーヘッド１とする。【選択図】図１
2014171751.tif 000002
【特許請求の範囲】
【請求項１】
電磁弁によって、吐水および止水を制御可能な水栓に取り付けられるシャワーヘッドであって、
内部に流水路が形成された本体部と、
前記本体部の下流側と接続し、外周側の流路と内側の流路との切替えが可能な切替部を備えた吐水ソケットと、
前記吐水ソケットの下流側に接続し、前記流水路と連通する吐水路が形成された吐水部と、
を備え、前記吐水ソケットには、前記切替部付近に弾性メッシュ部材が配設されており、前記弾性メッシュ部材は、吐水時に、前記流水路からの水流によって厚み方向に圧縮されることで、前記切替部の下流端面と前記弾性メッシュ部材との間隔が拡大することを特徴とするシャワーヘッド。
【請求項２】
止水時における、前記弾性メッシュ部材と前記吐水ソケットの前記切替部の下流端面との間隔が１．０ｍｍ以下であり、かつ、吐水時における、前記弾性メッシュ部材と前記吐水ソケットの切替部の下流端面との間隔が２．０ｍｍ以上になることを特徴とする請求項１に記載のシャワーヘッド。
【請求項３】
請求項１または２のシャワーヘッドを備えることを特徴とする水栓。
【発明の詳細な説明】
【技術分野】
【０００１】
本発明は、シャワーヘッドおよびこのシャワーヘッドを備えた水栓に関する。
【背景技術】
【０００２】
特許文献１には、電磁弁によって、吐水および止水を制御可能な水栓が記載されている。特許文献１の水栓に配設されるシャワーヘッド（吐水部材）には、中央部に整流口、その外側にシャワー孔が形成されており、切り替えアームを回動させることで、整流またはシャワーを選択して使用することができる。さらに、特許文献１には、シャワーヘッド（吐水部材）に金網や整流板を配設することで、良好な整流作用が得られることが記載されている。
【先行技術文献】
【特許文献】
【０００３】
【特許文献１】実開平３−４９４８０号公報
【発明の概要】
【発明が解決しようとする課題】
【０００４】
しかしながら、特許文献１のような水栓では、電磁弁による止水によって水路内の水流が急激に停止するため、止水時に、シャワーヘッドから水が滴下する場合がある。この場合、シャワーヘッドから滴下した水に代わって外部の空気がシャワーヘッド内に流入し、シャワーヘッドから異音が発生しやすいという問題があった。
【０００５】
本発明は、以上のとおりの事情に鑑みてなされたものであり、電磁弁による止水に伴う異音の発生が抑制されたシャワーヘッドおよびこのシャワーヘッドを備えた水栓を提供することを課題としている。
【課題を解決するための手段】
【０００６】
上記の課題を解決するために、本発明のシャワーヘッドは、電磁弁によって、吐水および止水を制御可能な水栓に取り付けられるシャワーヘッドであって、内部に流水路が形成された本体部と、前記本体部の下流側と接続し、外周側の流路と内側の流路との切替えが可能な切替部を備えた吐水ソケットと、前記吐水ソケットの下流側に接続し、前記流水路と連通する吐水路が形成された吐水部と、を備え、前記吐水ソケットには、前記切替部付近に弾性メッシュ部材が配設されており、前記弾性メッシュ部材は、吐水時に、前記流水路からの水流によって厚み方向に圧縮されることで、前記切替部の下端面と前記弾性メッシュ部材との間隔が拡大することを特徴としている。
【０００７】
このシャワーヘッドでは、止水時における、前記弾性メッシュ部材と前記吐水ソケットの前記切替部の下流端面との間隔が１．０ｍｍ以下であり、かつ、吐水時における、前記弾性メッシュ部材と前記吐水ソケットの切替部の下流端面との間隔が２．０ｍｍ以上になることが好ましい。
【０００８】
本発明の水栓は、前記シャワーヘッドを備えることを特徴としている。
【発明の効果】
【０００９】
本発明のシャワーヘッドおよび水栓によれば、電磁弁による止水に伴う異音の発生を抑制することができる。
【図面の簡単な説明】
【００１０】
【図１】本発明のシャワーヘッドの一実施形態を例示した断面図である。
【図２】図１中のＹ部の拡大図であり、シャワーヘッドが止水時の状態を例示している。
【図３】図１中のＹ部の拡大図であり、シャワーヘッドが吐水時の状態を例示している。
【発明を実施するための形態】
【００１１】
図１は、本発明のシャワーヘッドの一実施形態を例示した断面図である。
【００１２】
本発明において「上流」および「下流」とは、図１中の矢印で例示した流水方向に関しての「上流」および「下流」をいうものとする。
【００１３】
シャワーヘッド１は、電磁弁によって、吐水および止水を制御可能な水栓（図示していない）に取り付けられるものであり、内部に流水路２が形成された中空な本体部３と、本体部３の下流側に位置する下流端部３aに配設された吐水部４とを備えている。
【００１４】
本体部３は、上流側において、給水管Ａの端部と接続可能とされ、水道管を流れる水を、給水管Ａを通じて流水路２に供給することができる。また、本体部３は、その外周がカバー部３bによって覆われている。
【００１５】
本体部３の下流端部３aは、流水方向を下方に変えるように、下方にやや屈曲して延びている。下流端部３aは、吐水部４から噴出するシャワーを洗面化粧台などに向かわせ、手洗いなどを容易に行うことができるように設計されている。
【００１６】
また、本体部３の下流端部３aには、吐水部４を本体部３に接続するための受け部５が配設されている。受け部５は略円筒状の形状を有し、下流端部３aの内側にパッキンなどを介在させて嵌め込まれている。受け部５の下流端部には通水孔５aが形成されている。
【００１７】
受け部５の下流側には、流水方向に延びる略円筒状の吐水ソケット６が取り付けられている。
【００１８】
吐水ソケット６は、上流側に入水路６２が形成された切替部６１を備えており、下流側は本体部３の下流端部３aから流水方向に突出している。吐水ソケット６は、切替部６１によって外周側の流路と内側の流路との切替えが可能とされている。ここで、吐水ソケット６の外周側の流路には、後述する吐水部４（散水キャップ８）の吐水路４aが含まれ、吐水ソケット６の内側の流路には、後述する吐水部４（吐水プラグ９）の吐水路４bが含まれる。
【００１９】
吐水ソケット６の下流側には、吐水ソケット６の内側および外側に吐水部４が接続され、本体部３の下流端部３aに吐水部４が配設されている。受け部５の外周部は、下流端部３aの内周部から少し離間して配置され、受け部５の外周部と下流端部３aの内周部の間に環状溝７が形成されている。
【００２０】
吐水部４は、吐水ソケット６の外周外側に配置され、シャワー水を吐水する散水キャップ８と、吐水ソケット６の内側に取り付けられ、整流水を吐水する吐水プラグ９とを有している。散水キャップ８は、ブッシュ１０を介して本体部３の下流端部３aに接続されている。また、吐水部４は、流水路２と連通する吐水路４ａ、４ｂを有している。吐水路４ａは、吐水ソケット６の内部を通じて本体部３の流水路２に連通している。
【００２１】
ブッシュ１０は、略円筒状の形状を有し、本体部３側の端部に肉薄状の脚部１０aを備えており、脚部１０aが環状溝７に差し込まれて本体部３の下流端部３aに取り付けられ、吐水ソケット６の外側に配置されている。また、ブッシュ１０の外周部には、下流側に、外側から内側に向かって凹んだ環状溝１０bが形成されている。
【００２２】
散水キャップ８は、キャップ状の形状を有し、円筒状の筒部８aの一端部に円環状の散水板８bが一体に配設されている。散水板８bには、複数の散水孔Ｈが表裏を貫通して形成されている。散水キャップ８は、パッキンを介してブッシュ１０の環状溝１０bに嵌挿して、ブッシュ１０の周りに回動自在に取り付けられ、吐水ソケット６の外周外側に配置されている。こうして、散水板８bは、散水キャップ８の内部に位置する吐水路４ａの出口に配設されている。
【００２３】
吐水プラグ９は、略円筒状の形状を有し、吐水ソケット６の内部に嵌入されて取り付けられている。吐水プラグ９の内部に位置する吐水路４ｂは、整流水を吐水するための径が一定の流路として形成されており、吐水ソケット６を通じて本体部３の流水路２に連通している。
【００２４】
また、吐水プラグ９では、吐水路４ｂの出口側の端部に、外側に延在するフランジ部９aが配設されている。吐水プラグ９を吐水ソケット６の内部へ嵌入することによって、フランジ部９aは、散水板８bの表面の内周縁部に当接し、散水キャップ８の抜け止めとして機能し、散水キャップ８は吐水ソケット６と接続される。
【００２５】
シャワーヘッド１は、散水キャップ８を回動させることによって、吐水ソケット６が回動して外周側の流路と内側の流路とを切り替えることができ、これによって、吐水モードの切替え（吐水路４ａまたは吐水路４ｂからの吐水の選択）が可能とされている。すなわち、散水キャップ８の回動操作により吐水ソケット６が回動して流路が切り替えられ、入水路６２と通水孔５a(流水路２)とが連通状態となると、水は、吐水プラグ９の内部に位置する吐水路４ｂから整流水として吐水される。一方、吐水ソケット６の回動によって、入水路６２と通水孔５a(流水路２)の連通が遮断されると、水は、吐水路４ａを通って散水板８bの散水孔Ｈから噴出し、シャワー水が吐水される。
【００２６】
そして、吐水ソケット６の入水路６２の下流付近には、弾性メッシュ部材１１が配設されている。
【００２７】
図２は、図１中のＹ部の拡大図であり、シャワーヘッドが止水時の状態を例示している。また、図３は、図１中のＹ部の拡大図であり、シャワーヘッドが吐水時の状態を例示している。
【００２８】
弾性メッシュ部材１１は、厚み方向（流水方向）に弾性を有する材料で形成されており、シャワーヘッド１の吐水時における流水路２からの水流によって厚み方向に圧縮される。具体的には、図２に例示したように、弾性メッシュ部材１１は、例えば、複数枚（図２、図３では３枚）の板状部１１aの間に、結合部１１bを介在させた構造を例示することができる。
【００２９】
また、弾性メッシュ部材１１のメッシュや開口比率は特に限定されないが、例えば、４０〜８０メッシュ（1インチあたりの目の数）、より好ましくは、５０〜６０メッシュであり、開口比率が３０〜６０％以下であることが好ましい。弾性メッシュ部材１１のメッシュや開口比率がこの範囲であると、流水の圧力損失の増加を抑制することができる。
【００３０】
そして、このような弾性メッシュ部材１１は、流水路２から吐水ソケット６の入水路６２へと流れる流水の圧力を受けると、結合部１１bを介して厚み方向（流水方向）に圧縮され、板状部１１a同士が近接して積層された状態になる（図３）。すなわち、弾性メッシュ部材１１は、吐水時の水流によって圧縮されて厚みが減じられるため、弾性メッシュ部材１１と吐水ソケット６の切替部６１の下流端面６１a（入水路６２の出口位置）との間隔は、止水時の間隔よりも拡大する。
【００３１】
具体的には、図２に例示したように、止水時における、弾性メッシュ部材１１と吐水ソケット６の切替部６１の下流端面６１aとの間隔Ｌ１は、１．０ｍｍ以下であることが好ましく、０．８〜１．０ｍｍの範囲であることがより好ましい。
【００３２】
さらに、図３の点線Ｎは、図２における弾性メッシュ部材１１の位置を例示している。すなわち、図３に例示したように、吐水時における、弾性メッシュ部材１１と吐水ソケット６の切替部６１の下流端面６１aとの間隔Ｌ２は、弾性メッシュ部材１１が圧縮された厚みＷの分だけ、間隔Ｌ１よりも拡大している。間隔Ｌ２は、２．０ｍｍ以上であることが好ましく、例えば、２．０ｍｍ〜５．０ｍｍ程度の範囲を例示することができる。弾性メッシュ部材１１は、配設位置や圧縮率などを考慮して、間隔Ｌ１、Ｌ２が上記範囲となるように設計されていることが好ましい。
【００３３】
シャワーヘッド１は、止水時における、弾性メッシュ部材１１と吐水ソケット６の切替部６１の下流端面６１aとの間隔Ｌ１が１．０ｍｍ以下であることで、止水時に吐水ソケット６内に保持されている水が滴下し難くなる。このため、吐水プラグ９の吐水路４ｂから空気が流入することが抑制される。したがって、電磁弁による止水によっても、吐水ソケット６内（入水路６２付近）に空気が巻き込まれ難くなり、また、仮に空気が巻き込まれた場合でも空気の勢いを減少させることができるため、異音の発生が抑制される。
【００３４】
そして、シャワーヘッド１は、間隔Ｌ１が０．８〜１．０ｍｍの範囲であり、また、吐水時における、弾性メッシュ部材１１と吐水ソケット６の切替部６１の下流端面６１aとの間隔Ｌ２が２．０ｍｍ以上となることが特に好ましい。このように弾性メッシュ部材１１が圧縮されることで、流水の圧力損失の増加が抑制され、これに伴うシャワーヘッド１の流量低下を効果的に抑制することができる。
【００３５】
以上の通り、本発明のシャワーヘッドは、シャワーヘッド１の流量低下を抑制しつつ、電磁弁による止水に伴う異音の発生が確実に抑制されている。
【００３６】
このようなシャワーヘッド１は、電磁弁によって吐水および止水が制御される水栓に取り付けることができ、これによって、止水時にシャワーヘッド１からの異音の発生が抑制された水栓が提供される。
【００３７】
なお、本発明のシャワーヘッドは、以上の実施形態に限定されることはない。例えば、本体部および吐水部の構成および構造をはじめ、本体部および吐水部を形成する各種の部材の形状、構造などについては各種の態様が可能である。また、上記説明では水の吐出のみについて記載したが、本発明のシャワーヘッドは、湯やその他の液体の吐出も可能であることはいうまでもない。また、弾性メッシュ部材の構造、全体の厚み、材料などは特に限定されず、シャワーヘッドの水の圧力や所望の圧縮率などに応じて適宜設計することができる。
【符号の説明】
【００３８】
１    シャワーヘッド
２    流水路
３    本体部
４    吐水部
４a ４b  吐水路
６    吐水ソケット
６１  切替部
６１a 下端面
６２  入水路
１１  弾性メッシュ部材
【図１】
2014171751.tif 000003
【図２】
2014171751.tif 000004
【図３】
2014171751.tif 000005